(57)【要約】【課題】一条のタンクレールであっても球詰まりを起こすことなく流出できる球タンクとする。【解決手段】  球タンクをパチンコ球を受け止める球受け面１０ａと、その下流に下流面１０ｂとに分割する。球受け面１０ａを、パチンコ球が下流面１０ｂに向けて転動する緩い傾斜面とし、下流面１０ｂを球受け面１０ａと直交する方向に向けた緩い傾斜面とする。下流面１０ｂの下流部にパチンコ球をタンクレールへ導く球流出口１６を設ける。さらに、球流出口１６を設けた側から略中央位置まで球受け面１０ａと下流面１０ｂとを分離する誘導提１９を設ける。さらに球流出口１６に、球流出口１６の上方へせり出す球均し突条１７を設けて、パチンコ球が下流面１０ｂ上に２層以上に重なった場合であっても下層のパチンコ球が優先的に球流出口から流れ出させる。【選択図】図２
2012024327.tif 000002
【特許請求の範囲】
【請求項１】
パチンコ機の上部に取付けられて球補給装置から流下するパチンコ球を一時貯留し、タンクレールへ流下させるパチンコ機の球タンクにおいて、
前記球タンクの底面は、前記球補給装置からのパチンコ球を受け止める球受け面と、該球受け面の下流に段差に形成された下流面とに分割され、
該球受け面は、パチンコ球が該下流面に向けて転動する緩い傾斜面とされる一方、該下流面はパチンコ球が該球受け面と直交する方向に向けて転動する緩い傾斜面とされるとともに、該下流面の下流部にパチンコ球を前記タンクレールへ導く球流出口が設けられ、
さらに、球流出口を形成した側から略中央位置まで該球受け面と該下流面とを分離する誘導提が設けられていることを特徴とするパチンコ機の球タンク。
【請求項２】
球流出口には、該球流出孔の上方へせり出した球均し突条を設けて、パチンコ球が下流面上に２層以上に重なった場合であっても下層のパチンコ球が優先的に球流出口から流れ出すことを特徴とする請求項１記載のパチンコ機の球タンク。
【請求項３】
球流出口は、複数のパチンコ球が流下可能にタンクレール上に沿って長孔形状に設けられていることを特徴とする請求項１、２記載のパチンコ機の球タンク。
【発明の詳細な説明】
【技術分野】
【０００１】
本発明は、パチンコ機の球タンクに関するものである。
【背景技術】
【０００２】
パチンコ機は、機裏の上部に球タンクを設け、球タンクの上方に配置された球補給装置から供給されたパチンコ球をタンクレールを経由して賞球装置へと導き、遊技中に発生する払い出し信号に基づいて、賞球装置から賞球を払い出しを行っている。ここで、球タンクに連続して配設されているタンクレールは、一条の球通路ではパチンコ球の球詰りを生じやすいとの理由から、従来から二条の球通路を並列して形成して球詰まりを防止している。
【０００３】
ここで、並列して二条の球通路を形成したタンクレールにより、パチンコ球は二列に並んで流下するが、賞球経路の途中で一列に整列された場合には、この一列に合流する部位で球詰まりが発生することもある。また、最近では遊技盤に取付ける可変表示装置などの役物が大型化し、これに伴い機裏のスペースが狭くなり、タンクレールを薄くすることが要求されるようになっている。このため、近年タンクレールを一条としてタンクレールを薄くしようとする試みがなされている。
【０００４】
特許文献１には、球通路に開口する球流出口を、球タンクの下流端の側壁に沿った底面に長孔状に設けた発明を開示している。この特許文献１では、球タンクの球流出口を設けた側壁にパチンコ球の直径より大きく且つ２倍よりも小さい上部位置にガイド部材を内側に突出して設けて、球タンク内に貯留されたパチンコ球が２層以上に重なって球流出口に流れても、ガイド部材により上層のパチンコ球が阻止されて、下層のパチンコ球が優先的に球流出口からタンクレール内に流れ出す構造としている。これによって、球タンク内での球詰まりを生じることなくパチンコ球をスムーズに流すことができて、タンクレールを一条にすることができるとしている。
【先行技術文献】
【特許文献】
【０００５】
【特許文献１】特開平２００６−７５２２３号公報
【発明の概要】
【発明が解決しようとする課題】
【０００６】
しかしながら、特許文献１の発明では、大きな方形の箱形状の球タンクの底面に球流出口を設けているために、この球タンク上に配設されている球補給装置から補給されるパチンコ球の球圧が流下方向のみならす左右方向からも作用して、これらの球圧により球詰まりを生じるおそれを完全には排除することができなかった。
【課題を解決するための手段】
【０００７】
そこで請求項１の発明では、パチンコ機の上部に取付けられて球補給装置から流下するパチンコ球を一時貯留し、タンクレールへ流下させるパチンコ機の球タンクにおいて、球タンクの底面は、球補給装置からのパチンコ球を受け止める球受け面と、球受け面の下流に段差に形成された下流面とに分割され、球受け面は、パチンコ球が下流面に向けて転動する緩い傾斜面とされる一方、下流面はパチンコ球が球受け面と直交する方向に向けて転動する緩い傾斜面とされるとともに、下流面の下流部にパチンコ球を前記タンクレールへ導く球流出口が設けられ、さらに、球流出口を形成した側から略中央位置まで球受け面と下流面とを分離する誘導提が設けられている。この構成により、球流出口付近に貯留されたパチンコ球に左右方向からの球圧がかかることを防止して、球タンク内のパチンコ球が球詰まりすることなく流下できる。
【０００８】
請求項２の発明では、球流出口には、球流出孔の上方へせり出した球均し突条を設けて、パチンコ球が下流面上に２層以上に重なった場合であっても下層のパチンコ球が優先的に球流出口から流れ出す構成とされている。これにより、パチンコ球が２層に重なって貯留された場合であっても球タンク内のパチンコ球が球詰まりすることなく流下できる。
【０００９】
請求項３の発明では、球流出口は、複数のパチンコ球が流下可能にタンクレール上に沿って長孔形状に設けられていることにより、球詰まりを生じることなく、流れていく。
【発明の効果】
【００１０】
本請求項１の発明では、パチンコ機の上部に取付けられて球補給装置から流下するパチンコ球を一時貯留し、タンクレールへ流下させるパチンコ機の球タンクにおいて、球タンクの底面は、球補給装置からのパチンコ球を受け止める球受け面と、球受け面の下流に段差に形成された下流面とに分割され、球受け面は、パチンコ球が下流面に向けて転動する緩い傾斜面とされる一方、下流面はパチンコ球が球受け面と直交する方向に向けて転動する緩い傾斜面とされるとともに、下流面の下流部にパチンコ球を前記タンクレールへ導く球流出口が設けられ、さらに、球流出口を形成した側から略中央位置まで球受け面と下流面とを分離する誘導提が設けられていることによって、球流出口付近に貯留されたパチンコ球の球詰まりを防止して、球通路を一条にすることが可能となり、タンクレールを薄くすることができる。
【図面の簡単な説明】
【００１１】
【図１】図１はパチンコ機の背面側の斜視図である。
【図２】図２は球タンクの斜視図である。
【図３】図３は球タンクの断面図である。
【図４】図４はパチンコ機の平面図である。
【図５】図５はパチンコ機上部の断面図である。
【図６】図６はパチンコ球が貯留されている状態を示す図４の一部の拡大図である。
【図７】図７はパチンコ球が貯留されている状態を示す図５の一部の拡大図である。
【発明を実施するための形態】
【実施例】
【００１２】
以下、本発明の一実施例を詳細に説明する。
図１は、パチンコ機の背面側を表す斜視図であって、機枠１の背面側には、パチンコ遊技を遊技を制御する基盤などの裏部品を収容する裏枠ベース２が設けられていて、その左側に沿って裏ユニット３が配置されている。裏ユニット３は、上部に球タンク４が設けられて、この球タンク４上に図示しない球補給装置からパチンコ球が補給される。球タンク４に貯留されたパチンコ球は、タンクレール５を流下し、パチンコ球の上側からかかる球圧を緩和するために左右に蛇行した賞球経路６を経て、賞球装置７に導かれている。賞球装置７は払い出し信号に応じて所定数の賞球を払い出す。なお、タンクレール５の途中には、球タンク４から流れてきたパチンコ球の球圧を軽減するために球ならし８が２箇所に設けられて、パチンコ球が単層で整列して流れるようにされている。
【００１３】
図２、図３に示すように、球タンク４は、略方形の底面１０の周縁を取り囲む４枚の側板により上方が開放された大略長方形の箱形とされている。これらの側板は、裏枠ベース２に取付けられる取付面側板１１とその対向位置に設けられた前面側板１２と、そして取付面側板１１と前面側板１２より短い流入側側板１３と流出側側板１４とにより形成されている。
【００１４】
これらの各側板により囲まれる底面１０は、図２に示すように段差１５により球受け面１０ａと下流面１０ｂとに分割されている。球受け面１０ａは流入側板１３側から約７０％の面積を占めていて、流出側板１４側に向けてパチンコ球が転動する緩い傾斜面とされている。これにより、球受け面１０ａ上に供給されたパチンコ球は流出側板１４に向けて、緩やかに流下することになる。
【００１５】
なお、パチンコ球は、球受け面１０ａ上に配設された図示しない球補給装置から一気に補給されるために、パチンコ球同士が衝突するなど球受け面上でバウンドしたり、ランダムな方向に四散するパチンコ球もあるが、パチンコ球は全体として流出側板１４に向けて緩やかに流下する。
【００１６】
また、球受け面１０ａの下流には下流面１０ｂが設けられて底面１０を分割している。底面１０の残り約３０％の面積を占める下流面１０ｂは、球受け面１０ａと直交して前面側板１２側に向けて下がる緩い傾斜面とされている。これにより球受け面１０ａから流下するパチンコ球が、前面側板１２へほぼ直角に方向を変更して流下するようにされている。なお、この下流面１０ｂの緩い傾斜により前述した段差１５が形成される。また、最下流の位置となる下流面１０ｂの底面にはパチンコ球をタンクレール５上に流下させる球流出口１６が設けられている。この球流出口１６は、前面側板１２に沿って、下流面の横幅の長さとなる長孔形状をなし、複数のパチンコ球が１列に整理されて流下可能とされている。これにより、球流出口１６の下方に球流出口１６に沿って配置された一列のタンクレール５内に流下可能とされている。
【００１７】
球流出口１６の上方に向けて前面側板１２が下流面１０ｂ側に湾曲してせり出した球均し突条１７が設けられて球流出孔１６の上方の一部を覆っている。この球均し突条１７は、仮に下流面１０ｂ上をパチンコ球が２層に積層した状態で流下してきた場合であっても、上層のパチンコ球は球均し突条１７に突き当たり、下層のパチンコ球のみが優先的に球流出口１６から流下して、パチンコ球を一層になるように球均しをする。
【００１８】
また、球受け面１０ａには、下流面１０ｂとの境界に誘導堤１９が前面側板１２から約１／３の距離を占める位置まで半島状に突出して設けられて球受け面１０ａと下流面１０ｂとを分離している。誘導堤１９は、図２に示すように、上から見て、前面側板１２を底辺とした三角形状とされ、球受け面１０ａが、流入側側板１３から流出側側板１４に向けて緩やかに傾斜し、パチンコ球は誘導堤１９に沿って取付面側板１１に向けて、緩やかに流下していく。特に供給されるパチンコ球のうち、勢いよく供給されたパチンコ球が、球受け面１０ａ上を前面側板１２側に向かって流れても、誘導堤１９に衝突してその勢いを減じ、誘導堤１９の先端から段差１５を落下して下流面１０ｂ上を球流出口１６に向けて転動していく。
【００１９】
次に、球補給装置からパチンコ球が球タンク４上に補給された際の、パチンコ球の動きについて図５から図７に基づいて説明する。
【００２０】
球タンク４の球受け面１０ａのほぼ中央付近に球補給装置からパチンコ球が補給される。球受け面１０ａは流入側側板１３から流出側側板１４に向けて緩やかに傾斜しているため、多くのパチンコ球は流出側側板１４に向けて、緩やかに流下し、下流面１０ｂ上に流下していく。そして、下流面１０ｂは前面側板１２に向けて傾斜しているために、順次球流出口１６からタンクレール５を充填し、さらに下流面１０ｂ上に広がって充填される。
【００２１】
前面側板１２側に緩やかに傾斜している下流面１０ｂ上では、パチンコ球は前面板側へほぼ直角に方向を変更して流下する。また、下流面１０ｂの全面にわたってパチンコ球が充填されると、球受け面１０ａにも広く広がって貯留されて、図６に示す状態とされる。
【００２２】
特に、球受け面１０ａ上に貯留されているパチンコ球の多く、特に前面側板１２側に貯留されたパチンコ球は、誘導堤１９により支えられて球流出口１６付近に貯留されたパチンコ球にその重量を付加しないために、下流面１０ｂ上のパチンコ球は、球詰まりを生じることなくスムーズに流下していく。
【００２３】
なお、球補給装置から補給される際に、パチンコ球同士が衝突などして、ランダムな横方向にはじかれたように強く転動するパチンコ球であっても球受け面１０ａの三方向を囲む流入側側板１３、取付面側板１１又は前面側板１２に衝突し、跳ね返ってその勢いを減じる。また、誘導堤１９に衝突したパチンコ球は、誘導堤１９に沿って取付面側板１１に向けて、緩やかに流下する。
【００２４】
また、タンクレール５上に設けられている球流出口１６は、複数のパチンコ球が１列に整理するように前面側板１２（タンクレール５）に沿った長孔形状に設けられているために、タンクレール５内のパチンコ球が流出するに従って順次１列に整理されてタンクレール５内に流下していく。特に球詰まりを生じやすい球流出口１６付近に位置するパチンコ球には、誘導板１９により横方向からの球圧を受けることが無く、また球均し突条１７によりパチンコ球は一層に整列されていために、球詰まりを生じることなく流下して、一列のタンクレール５内に流下していいく。
【符号の説明】
【００２５】
１…機枠  ２…裏枠ベース  ３…裏ユニット  ４…球タンク  ５…タンクレール  ６…賞球経路  ７…賞球装置  ８…球ならし  １０…底面板  １０ａ…球受け面  １０ｂ…下流面  １１…取付側面板  １２…前面側板  １３…流入側側板  １４…流出側側板  １５…段差  １６…球流出口  １７…球均し突条  １９…誘導堤
【図１】
2012024327.tif 000003
【図２】
2012024327.tif 000004
【図３】
2012024327.tif 000005
【図４】
2012024327.tif 000006
【図５】
2012024327.tif 000007
【図６】
2012024327.tif 000008
【図７】
2012024327.tif 000009